(57)【要約】【課題】  構内交換機に収容された内線端末と外部ネットワークに接続された通信機器、具体的にはサーバ等との通信の制限を排除しつつ、簡易にして多機能な通信機能を実現可能な電話システムを提供する。【解決手段】  所定の電話網と所定の構内に配設された複数の内線端末２０とを接続する構内交換機２０を有する電話システムであって、前記構内交換機１０は、所定の前記電話網に接続されたサーバ４０と前記内線端末２０との間に通話路を設定し、この通話路にトンネリング・プロトコルを適用して該サーバ４０と該内線端末１０との間で所定のデータ通信を行うサーバ連携制御部１９を備える。【選択図】      図１
2006245757.tif 000002
【特許請求の範囲】
【請求項１】
所定の電話網と所定の構内に配設された複数の内線端末とを接続する構内交換機を有する電話システムであって、
前記構内交換機は、所定の前記電話網に接続されたサーバと前記内線端末との間に通話路を設定し、この通話路にトンネリング・プロトコルを適用して該サーバと該内線端末との間で所定のデータ通信を行うサーバ連携制御部を備えることを特徴とする電話システム。
【請求項２】
前記内線端末は、前記構内交換機から与えられる制御情報および／または前記構内交換機を介して前記電話網とのデータの授受を行う伝送回路部と、
この伝送回路部が受けた前記構内交換機からの制御情報を受けて、該制御情報が画像情報若しくは文字情報または音響情報であるかを判定する伝送コマンド送受信制御部と、
前記構内交換機および／または前記サーバに対して所定のコマンドを入力する操作制御部と、
前記構内交換機から与えられた画像情報および／または文字情報を表示する表示部と、
前記構内交換機から与えられた音響情報を出力する通話部と、
前記伝送コマンド送受信制御部が前記交換機から与えられた制御情報が画像情報および／または文字情報であると判定したときは該画像情報および／または該文字情報を前記表示部に出力し、前記伝送コマンド送受信制御部が前記交換機から与えられた前記電話網のデータが音響情報であると判定したときは、その音響情報を出力することを特徴とする請求項１に記載の電話システム。
【請求項３】
前記構内交換機は、更にＩＰネットワークを介して所定のサーバに接続するネットワーク入出力制御部を備えるものである請求項１または２に記載の電話システム。
【発明の詳細な説明】
【技術分野】
【０００１】
本発明は、電話網と構内に配設された複数の内線端末とを接続する構内交換機を有する電話システムに係り、特に所定の電話網に接続されたサーバと内線端末との間に通話路を設定すると共に、構内交換機と内線端末との間の通話路にトンネリング・プロトコルを適用してサーバと内線端末との間で所定のデータ通信を行う電話システムに関する。
【背景技術】
【０００２】
従来から複数の構内電話機（内線端末）を収容して回線交換網との間で回線交換を行う一方、例えばネットワークに接続されたメールサーバとの間でメール交換を行う構内交換機が知られている（例えば、特許文献１参照）。この構内交換機は、メールサーバ機能を備え、所定のネットワークを介して受信したメールのメールヘッダに付与されたアドレス情報を読み出す。そしてメールアドレス毎に予め定められた内線電話機（内線端末）に対し、メールの着信があったことを通知する他、メール受信可能な専用電話機からメール読み出しの要求があったとき、構内交換機は、自身のメールサーバに保持されたメールを閲覧することができる。
【０００３】
またパーソナルコンピュータ（ＰＣ）と多機能なＩＰ電話機を収納した構内交換機において、例えばＰＣの電源が投入されていないとき、該ＰＣ宛に到着したメールを所定の多機能ＩＰ電話機へ転送したり、着信があったことを表示したりするＩＰ多機能電話システムが知られている（例えば、特許文献２を参照）。
ちなみに複数の内線端末を収納する構内交換機と、この内線端末との間の伝送プロトコルは、通話情報以外にも例えば内線端末に設けられた表示部（ＬＣＤやＬＥＤ等）の表示制御や多機能電話機に設けられた操作ボタンに対してユーザが行った操作情報等も伝送するため、専ら独自な伝送制御方式が適用されている。このため上述した特許文献１に記載の構内交換機（主装置）は、構内交換機が収容する電話機（内線端末）に対して、外部ネットワークを介してメールの送受信を行う場合、主装置内に設置したメールサーバによって伝送制御手順の変換、すなわちプロトコルの変換を行っている。
【特許文献１】特開２００２−８４３７０号公報
【特許文献２】特開２００３−４６６６５号公報
【発明の開示】
【発明が解決しようとする課題】
【０００４】
しかしながら上述した構内交換機（主装置）は、主装置内にメールサーバを配置しなければならず、それ故コストが高くなるという問題があった。或いは構内交換機（主装置）と電話機（内線端末）との間で独自な伝送制御方式を適用している場合、伝送制御方式の制約から限られたメールサービスしか提供できないという問題がある。また電話機（内線端末）に表示機能を備える多機能電話機の場合、一般に表示部には文字表示機能しか備えられていない。このため基本的には、メールサービス等の文字中心のサービスが中心である。このため従来の電話システムは、例えばホームページの閲覧や動画像表示などの高度なサービスを内線端末に提供することができないという問題もあった。
【０００５】
このように所定の電話網、例えばインターネット等のネットワークに接続された機器（サーバ）と構内交換機に収納された内線端末との間で通信を行う場合、構内交換機に収容された電話機との間で行われる伝送制御手順の妨げにならないように独自のプロトコルを作成する必要があった。このためサーバと内線端末との間で行われる通信手順の変更・追加作業の都度、主装置内の制御ソフトウエアを変更する必要があるという問題がある。つまりメール機能以外の処理を構内交換機に追加する場合、上述したように構内交換機と内線端末との間でなされる伝送制御手順の妨げにならないように新たなプロトコルを構築しなければならない。このため汎用性がないという問題もある。
【０００６】
本発明は、このような事情に対処すべくなされたものであって、その目的は、構内交換機に収容された内線端末と外部ネットワークに接続された通信機器、具体的にはサーバ等との通信の制限を排除しつつ、簡易にして多機能な通信機能を実現可能な電話システムを提供することにある。
【課題を解決するための手段】
【０００７】
上述した目的を達成すべく本発明に係る電話システムは、所定の電話網と所定の構内に配設された複数の内線端末とを接続する構内交換機を有する電話システムであって、
前記構内交換機は、所定の前記電話網に接続されたサーバと前記内線端末との間に通話路を設定し、この通話路にトンネリング・プロトコルを適用して該サーバと該内線端末との間で所定のデータ通信を行うサーバ連携制御部を備えることを特徴としている。
【０００８】
上述の電話システムは、構内交換機と内線端末との間で行われる伝送制御手順を妨げることなく、トンネリング・プロトコルによって所定の電話網、具体的にはインターネット等に設けられたサーバと内線端末とで相互通信することができる。
また前記内線端末は、前記構内交換機から与えられる制御情報および／または前記構内交換機を介して前記電話網とのデータの授受を行う伝送回路部と、この伝送回路部が受けた前記構内交換機からの制御情報を受けて、該制御情報が画像情報若しくは文字情報または音響情報であるかを判定する伝送コマンド送受信制御部と、前記構内交換機および／または前記サーバに対して所定のコマンドを入力する操作制御部と、前記構内交換機から与えられた画像情報および／または文字情報を表示する表示部と、前記構内交換機から与えられた音響情報を出力する通話部と、前記伝送コマンド送受信制御部が前記交換機から与えられた制御情報が画像情報および／または文字情報であると判定したときは該画像情報および／または該文字情報を前記表示部に出力し、前記伝送コマンド送受信制御部が前記交換機から与えられた前記電話網のデータが音響情報であると判定したときは、その音響情報を出力することを特徴としている。
【０００９】
上述した電話システムは、内線端末の表示部にインターネット等に設けられたサーバとの間で文字情報の他、動画像情報を表示することができる。
好ましくは前記構内交換機は、更にＩＰネットワークを介して所定のサーバに接続するネットワーク入出力制御部を備えることが望ましい。
上述した電話システムは、ＩＰネットワークに接続されたメールサーバ、ＷＥＢサーバ、ニュースサーバ等の各種サーバと、構内交換機（主装置）に収容された電話機（内線端末）との間で所望のデータをやりとりすることができる。
【発明の効果】
【００１０】
このように本発明の電話システムは、内線端末に動画像を表示する表示部および表示制御部を設けると共に、構内交換機と内線端末との間に設定した通話路にトンネリング・プロトコルを適用して所定の電話網に接続されたサーバと該内線端末との間で所定のデータ通信を行っている。このため本発明の電話システムは、構内交換機と内線端末との間で行われる伝送制御手順を妨げることなく、例えばインターネット等に設けられたサーバと内線端末との間で相互通信し、サーバ内の動画像等を内線端末の表示部に表示することができる。
【００１１】
また内線端末は、伝送コマンド送受信制御部が画像情報および／または文字情報であると判定したときは該画像情報および／または該文字情報を表示部に出力するように構成しているので、サーバからトンネリング・プロトコルによって内線端末に対して出力された該画像情報および／または該文字情報を該表示部に表示させることができるという優れた効果を奏し得る。
【発明を実施するための最良の形態】
【００１２】
以下、本発明の一実施形態に係る電話システムについて、添付図面を参照しながら説明する。尚、図１および図２は、本発明の一実施形態に係る電話システムの概略構成を示すブロック図であって、図中、同一の符号を付した部分は同一物を表わし、基本的な構成は図に示す従来のものと同様である。また、本発明は、これらの図面によって限定されるものでもない。
【００１３】
図１において１０は、複数の電話機（内線端末；後述）２０を収容し、後述する所定の電話網と内線端末２０との間に通話路を設定する構内交換機である。この構内交換機１０は、概略的には所定の電話網と内線端末２０との接続を切り換えるスイッチ部１１と、各電話網とのインタフェースを行う回路部および構内交換機の作動を制御する主制御部１２とからなる。
【００１４】
構内交換機１０に接続される電話網としては、例えば公衆通信回線である回線交換網３１、インターネット等に代表されるＩＰ網３２、構内交換機１０が配設される構内に敷設されるＬＡＮ（ローカル・エリア・ネットワーク）３３等がある。これらの電話網に接続するべく構内交換機１０には、各種の回路部（インタフェース部）が設けられている。即ち、回線交換網３１に対して外線回路部１３が、ＩＰ網３２に対してはＩＰ外線回路部１４が、ＬＡＮ３３に対しては、ネットワーク入出力部１５が、それぞれ構内交換機１０内に設けられている。これらインタフェース部は、それぞれの電話網が備える電気的特性および通信制御手段に対するインタフェース機能を備える。
【００１５】
また構内交換機１０には、複数の内線端末２０を収容するため内線端末毎にそれぞれ内線回路部１６が設けられている。この内線回路部１６は、内線端末２０に対して、内線端末２０の作動を司るディジタル化された制御信号を与えると共に、該内線端末２０の作動用の電源を供給する役割を担っている。
そして構内交換機１０の作動を制御する主制御部１２には、構内交換機１０内部に設けられた各種回路部（外線回路部１３、ＩＰ外線回路部１４、ネットワーク入出力部１５、内線回路部１６）やスイッチ部１１に対してその作動を制御する作動信号を出力すると共に、これらの回路部からの状態信号を受けて所定の作動信号を生成する交換機入出力制御部１７および構内交換機１０に対する通話呼の処理（呼処理）を行う呼制御部１８を備える。
【００１６】
また主制御部１２は、詳細は後述するがＬＡＮ３３に接続された各種サーバ４０のクライアントとなり、内線端末２０とのインタフェース変換と伝送データの中継を行うサーバ連携制御部１９を備えている。
一方、構内交換機１０に接続される内線端末２０は、図２にその内部構成を表すブロック図に示したように概略的には構内交換機１０とのインタフェースを行う伝送回路部２１、この伝送回路部２１が受けた制御信号および内線端末２０内の状態を受けて所定の制御信号を内線端末２０内の所定の回路ブロックへ入出力する伝送コマンド送受信制御部２２、この伝送コマンド送受信制御部２２の判定によって内線端末２０の表側に設けられた着信等の表示をするランプ部２３およびこのランプ部２３の点灯を制御するランプ制御部２４、伝送コマンド送受信制御部２２からの指令を受けて動画像や静止画像の表示する表示部２５およびこの表示部２５の作動制御を行う表示制御部２６、構内交換機１０を介して電話網と音声や音響等の通話情報をやりとりする通話部２７およびこの通話部２７の作動を司る通話路制御部２８、操作者からのダイヤリング操作や表示要求操作等の入力を受け付ける操作入力部２９およびこの操作入力部の制御を行う操作制御部３０を備えている。
【００１７】
ちなみにランプ制御部２４と表示制御部２６、および操作制御部３０に対する制御指令は、構内交換機１０の内線回路部１６と内線端末２０の伝送回路部２１および伝送コマンド送受信制御部２２を介して与えられる。このときランプ制御部２４、表示制御部２６、通話路制御部２８および操作制御部３０にそれぞれ与えられる制御信号は、詳細は後述するが独自のプロトコルによって行われる。
【００１８】
概略的に上述したように構成された本発明の電話システムが特徴とするところは、構内交換機１０が所定の電話網、例えばＬＡＮ３０に接続されたサーバ４０と内線端末２０との間に通話路を設定すると共に、この通話路にトンネリング・プロトコルを適用してサーバ４０と内線端末２０との間で任意のデータ通信を行うサーバ連携制御部１９を備える点にある。
【００１９】
このような特徴ある本発明の電話システムに関し、内線端末２０がＬＡＮ３３に接続されたサーバ４０にアクセスする手順について図３のアルゴリズムを示す図を参照しながら説明する。
内線端末２０がサーバ４０にアクセスする場合、上述したように構内交換機１０と内線端末２０との間にプロトコルトンネルを形成するため内線端末２０は、構内交換機に対してトンネルコマンドを発行し、構内交換機１０と内線端末２０間の通信を独自コマンドに加えて何らの制御を行わないプロトコルトンネルを形成する［ステップＳ１］。次いで構内交換機１０は、構内交換機１０と内線端末２０間にプロトコルトンネルが形成されると内線端末２０からサーバ４０に対するアクセスがＨＴＴＰプロトコルによるものか、それ以外かを判定し［ステップＳ２］、ＨＴＴＰプロトコルの場合は、内線端末２０からサーバ４０に対するプロトコルメッセージを取り出す［ステップＳ３］一方、ＨＴＴＰプロトコル以外のプロトコルの場合は、単にサーバ４０に受け渡す中継処理を行う［ステップＳ４］。
【００２０】
構内交換機１０は、ステップＳ３でトンネルからＨＴＴＰプロトコルメッセージを取り出して、このメッセージに含まれる内線端末２０の要求元アドレスをサーバ４０が接続されているＬＡＮ３３のネットワークアドレスに適合するようにアドレス変換を行い［ステップＳ５］、ＬＡＮ３３に接続されているサーバに対してメッセージを送信する［ステップＳ６］。そして構内交換機１０は、サーバ４０からの応答を待つ［ステップＳ７］。
【００２１】
次いで構内交換機１０は、サーバ４０からの応答があると［ステップＳ８］、このサーバ４０が内線端末２０宛に送出したメッセージを、前述した手段によって形成されたプロトコルトンネルにより内線端末２０に送出するためトンネルコマンドに変換して［ステップＳ９］、該当する内線端末２０に対してコマンドを送信する［ステップＳ１０］。
一方、構内交換機１０は、サーバ４０から内線端末２０に対して送出されメッセージを受けたとき［ステップＳ１１］、ステップＳ９およびステップＳ１０の手段を経て、該当する内線端末２０に対して該メッセージを送出する。
【００２２】
上述したアルゴリズムに従って構内交換機１０と、この構内交換機１０に収容される複数の内線端末２０との間でなされるコマンドフォーマットには、図４（ａ）に示すようにコマンドヘッダ、コマンド、コマンドデータおよびＣＲＣ（cyclic redundancy check：巡回冗長検査）がある。
コマンドヘッダは、図５にその構成を示すように構内交換機１０の状態を通知する制御フラグ、受信したメッセージ内の送信シーケンス番号をインクリメントした［１〜１５］までの巡回する受信シーケンス番号Ｎ（Ｒ）、送信したメッセージの順番を示す［１〜１５］までの巡回する送信シーケンス番号およびコマンドの長さをバイト長で表すコマンド長からなっている。
【００２３】
次にコマンドには、内線端末２０から構内交換機１０に対して与えるコマンドと、構内交換機１０から内線端末２０に対するコマンドとがある。例えば、内線端末２０から構内交換機１０に対するコマンドには、内線端末２０の作動を開始し、構内交換機に対して接続が有効な端末であることを登録する活性要求コマンド、回線を選択する回線キー番号と、転送、再発信等の機能を選択する機能キー番号および通信相手先を選択するダイヤルキー番号等のキー入力通知コマンドと、ＨＴＴＰやＦＴＰ等のプロトコル種別とプロトコルデータを与えるトンネルコマンド等がある。
【００２４】
一方、構内交換機１０から内線端末２０に対するコマンドには、上述した内線端末２０から出された活性要求に対する応答コマンド、文字情報を内線端末２０に設けられた表示部２５に表示させる表示制御コマンド、ランプ部２３の表示パターンや表示色を指定するランプ制御コマンド、通話部２７を構成するスピーカ、マイクのオン・オフ制御を行う通話路制御コマンド、ＨＴＴＰやＦＴＰ等のプロトコル種別とプロトコルデータを通知するトンネルコマンド等がある。
【００２５】
次いで構内交換機１０は、例えば上述したコマンドを用いて、内線端末２０の表示部２５の表示制御を行う場合は、図５（ｂ）にそのコマンドフォーマットを示すように、コマンドヘッダ、表示コマンド、表示モード、表示情報およびＣＲＣを内線端末２０に対して与える。また構内交換機１０は、上述したコマンドを用いて、内線端末２０のランプ部２３のランプ表示制御を行う場合は、図５（ｃ）にそのコマンドフォーマットを示すように、コマンドヘッダ、ランプコマンド、制御する対象となるキー番号、ランプの表示パターンと色データを指定する表示パターン・色指定データおよびＣＲＣを内線端末２０に対して与える。
【００２６】
一方、トンネリング・プロトコルを用いて、構内交換機１０と内線端末２０との間でＨＴＴＰやＦＴＰ等のプロトコルデータを送受する場合、構内交換機１０は、図４（ｄ）にそのコマンドフォーマットを示すように、コマンドヘッダ、トンネルコマンド、トンネリングするプロトコルの種別を識別させるプロトコル識別子、トンネリングさせるプロトコルデータおよびＣＲＣを内線端末２０に対して与える。
【００２７】
尚、上述したコマンドフォーマットに付与されるＣＲＣは、コマンドの伝送誤りを検出するべく設けられたもので、例えば１６ビットのＣＲＣ１６等が用いられる。
次により具体的に上述したコマンドを用いてＬＡＮ３３に接続されたサーバ４０（ＷＥＢサーバ）内のホームページに保持された画像情報を内線端末２０が受け取る場合を図６に示す伝送シーケンス図を用いて説明する。ちなみに構内交換機１０とサーバ４０との間でなされる通信プロトコルは、ＴＣＰ／ＩＰのＨＴＴＰプロトコルであるものとする。
【００２８】
まずユーザは、内線端末２０に設けられた操作入力部２９からサーバ４０のホームページのＵＲＬを入力する［ステップＳ２０］。すると内線端末２０は、構内交換機１０に対して、サーバ４０のＵＲＬ（例えば、www.xxx.co.jp）をトンネルコマンドで送出する［ステップＳ２１］。構内交換機１０は、内線端末２０からトンネルコマンドによって送出されたＵＲＬが正しく受信できたとき、内線端末２０に対して受信確認ＯＫの応答を返す［ステップＳ２２］と共に、ＷＥＢサーバに対して、ＴＣＰ／ＩＰのＨＴＴＰプロトコルに従ってＵＲＬ（例えば、www.xxx.co.jp）を転送する［ステップＳ２３］。
【００２９】
ＷＥＢサーバは受け取ったＵＲＬに従って所定のＨＴＭＬを読み込み［ステップＳ２４］、構内交換機１０に対して読み込んだＨＴＭＬソースを送出する［ステップＳ２５］。ＷＥＢサーバから送出されたＨＴＭＬソースを受けた構内交換機１０は、トンネルコマンドを用いて該ＨＴＭＬソースを内線端末２０に対して中継伝送する［ステップＳ２６］。
内線端末２０は、構内交換機１０から伝送されたＨＴＭＬソースが正しく受け取れたとき、構内交換機１０に対して受信確認ＯＫを送出する［ステップＳ２７］と共に、このＨＴＭＬソースに画像情報の格納場所を示すリンク先が記載されている場合、リンク先の画像情報を取得すべく構内交換機１０に対してリンク先の画像情報をトンネリングコマンドにより要求する［ステップＳ２８，Ｓ２９］。
【００３０】
構内交換機１０は、内線端末２０から出されたリンク先の画像情報要求が正しく受け取れたとき、内線端末２０に対して受信確認ＯＫの応答を返す［ステップＳ３０］と共に、ＷＥＢサーバに対して、ＨＴＴＰプロトコルに従ってリンク先の画像情報要求を転送する［ステップＳ３１］。
ＷＥＢサーバは、受け取ったリンク先の画像情報要求に従って、所定の画像情報を読み込み［ステップＳ３２］、構内交換機１０に対して読み込んだ画像情報を送出する［ステップＳ３３］。このときＷＥＢサーバは、送出する画像情報のサイズが大きい場合、所定のサイズに分割して構内交換機１０に分割した画像情報を順次、構内交換機１０に送出する。次いで構内交換機１０は、ＷＥＢサーバから送出された画像情報をトンネルコマンドによって内線端末２０に対して中継伝送する［ステップＳ３４］。
【００３１】
そして内線端末２０は、構内交換機１０から伝送された画像情報が正しく受け取れたとき、構内交換機１０に対して受信確認ＯＫを送出する［ステップＳ３５］と共に、受け取った画像情報を表示部２５に表示する［ステップＳ３６］。
かくしてこのように構成された本発明に係る電話システムによれば、構内交換機１０と内線端末２０との間に設定した通話路にトンネリング・プロトコルを適用してＬＡＮ３３に接続されたサーバ４０と該内線端末との間で所定のデータ通信を行うことができる。このため構内交換機１０と内線端末２０との間で行われる独自の伝送制御手順を妨げることなく、例えばインターネット等に設けられたサーバ４０と内線端末２０との間で相互通信することが可能となる。
【００３２】
また構内交換機１０と内線端末２０との間の伝送プロトコルには、トンネリング・プロトコルを適用している。このため内線端末２０の伝送コマンド送受信制御部２２は、トンネリング・プロトコルによって構内交換機１０から転送された情報が画像情報および／または文字情報であると判定したときは該画像情報および／または該文字情報を表示部２５に表示させることができるという優れた効果を奏し得る。
【００３３】
また上述した本発明の一実施形態に係る電話システムにあっては、画像情報を転送する手段を例示したが、動画像と共にこの動画像に対応付けられた音声情報をサーバ４０から内線端末２０に対して伝送することも可能である。
尚、本発明の電話システムは、上記した実施の形態に限定されるものではなく、本発明の要旨を逸脱しない範囲内において種々変更を加え得てもよい。例えば、上述した一実施形態では、サーバ４０がＬＡＮ３３に接続されたものを例示したが、回線交換網３１やＩＰ網３２にサーバがあっても勿論かまわない。この場合、構内交換機１０は、回線交換網３１およびＩＰ網３２にそれぞれ接続されたサーバ（図１に図示せず）に対して、所定のプロトコルでサーバと構内交換機１０間で伝送制御を行う一方、構内交換機１０と内線端末２０との間は、トンネリング・プロトコルによって通信すればよい。また電話網に接続された任意の通信装置と通信を行う場合であっても、構内交換機１０と内線端末２０との間の通信は、トンネリング・プロトコルに従って実行されるので内線端末２０にこの通信装置との通信が可能となるプロトコルを組み込むだけでよい。
【００３４】
このように本発明に係る電話システムは、構内交換機１０と内線端末２０との間にトンネリング・プロトコルを適用しているので、電話網と構内交換機１０とのプロトコルによらず任意のプロトコルを採用することが可能である等、実用上多大なる効果を奏する。
【図面の簡単な説明】
【００３５】
【図１】本発明の一実施形態に係る電話システムの概略構成を示すブロック図。
【図２】本発明の一実施形態に係る電話システムにおける内線端末の概略構成を示すブロック図。
【図３】本発明の一実施形態に係る電話システムにおける構内交換機の作動アルゴリズムを示す図。
【図４】本発明の一実施形態に係る電話システムにおいて、構内交換機と内線端末との間で送受されるコマンドフォーマットを示す図。
【図５】図４に示すコマンドフォーマット内のコマンドヘッダを示す図。
【図６】本発明の一実施形態に係る電話システムにおける内線端末とサーバとの間の伝送シーケンスを示す図。
【符号の説明】
【００３６】
１０    構内交換機
１１    スイッチ部
１２    主制御部
１３    外線回路部
１４    ＩＰ外線回路部
１５    ネットワーク入出力部
１６    内線回路部
１７    交換機入出力制御部
１８    呼制御部
１９    サーバ連携制御部
２０    内線端末
３０    操作制御部
３１    回線交換網
３２    ＩＰ網
４０    サーバ
【図１】
2006245757.tif 000003
【図２】
2006245757.tif 000004
【図３】
2006245757.tif 000005
【図４】
2006245757.tif 000006
【図５】
2006245757.tif 000007
【図６】
2006245757.tif 000008